(57)【要約】【課題】  段積み用梱包構造に用いる段ボールや板紙などの使用量を削減してコスト減を図ることと併せて、１つの積荷の高さを低くして製品の輸送コスト低減化の可能性を高める。【解決手段】  下面被覆板２３及び上面被覆板２４を分包集合体２２の下面と上面とにそれぞれ被せ、サイドパッド２５を分包集合体２２の周囲４隅に重ね合わせてなる梱包２と、パレット１とを備える段積み用梱包構造において、下面被覆板２３を省略することに代えて、サイドパッド２５の下端部と分包集合体２２とを梱包テープ５によって接合する。包囲手段８によってパレット１上の梱包２の荷崩れを防ぐ。【選択図】        図１
2006213343.tif 000002
【特許請求の範囲】
【請求項１】
四角形の板部の周囲４辺に縁片部が立ち上げられてそれらの縁片部によって形成される突合せ状の出隅部が梱包テープによって接合されてなる下面被覆板及び上面被覆板が、横並びに寄せ集められた複数の箱形分包でなる分包集合体の下面と上面とにそれぞれ被せられ、上記分包集合体の周囲４隅のそれぞれに重ね合わされたサイドパッドの下端部が上記下面被覆板の縁片部の出隅部と上記分包集合体の下隅部との間に挟み込まれ、そのサイドパッドの上端部が上記上面被覆板の縁片部の出隅部と上記分包集合体の上隅部との間に挟み込まれてなる梱包と、この梱包が載置されているパレットと、を備える段積み用梱包構造において、
単一の上記箱形分包に、用紙に印字を行うための複数台のインクジエットプリンタが収容されていて、
上記下面被覆板及び上記上面被覆板を介在させずに複数段に亘って直接に段積みされた上記分包集合体の下段側分包集合体の下面に被せられる上記下面被覆板を省略することに代えて、上記サイドパッドの下端部と上記分包集合体とを梱包テープによって接合してあると共に、この梱包テープがサイドパッドを横切ってその両側に張り出す長さを有し、かつ、その梱包テープの両端部が上記サイドパッドの両側で上記分包集合体の外面に貼り付けられ、
梱包を包囲するラップと、パレットと梱包とに巻き付けられた結束バンドとでなる包囲手段によって上記パレット上での上記梱包の荷崩れを防いでいることを特徴とする段積み用梱包構造。
【請求項２】
四角形の板部の周囲４辺に縁片部が立ち上げられてそれらの縁片部によって形成される突合せ状の出隅部が梱包テープによって接合されてなる下面被覆板及び上面被覆板が、横並びに寄せ集められた複数の箱形分包でなる分包集合体の下面と上面とにそれぞれ被せられ、上記分包集合体の周囲４隅のそれぞれに重ね合わされたサイドパッドの下端部が上記下面被覆板の縁片部の出隅部と上記分包集合体の下隅部との間に挟み込まれ、そのサイドパッドの上端部が上記上面被覆板の縁片部の出隅部と上記分包集合体の上隅部との間に挟み込まれてなる梱包と、この梱包が載置されているパレットと、を備える段積み用梱包構造において、
上記梱包の下面被覆板を省略することに代えて、上記サイドパッドの下端部と上記分包集合体とを梱包テープによって接合してあることを特徴とする段積み用梱包構造。
【請求項３】
上記サイドパッドの下端部と上記分包集合体とを接合している上記梱包テープがサイドパッドを横切ってその両側に張り出す長さを有し、かつ、その梱包テープの両端部が上記サイドパッドの両側で上記分包集合体の外面に貼り付けられている請求項２に記載した段積み用梱包構造。
【請求項４】
上記下面被覆板及び上記上面被覆板を介在させずに複数段に亘って直接に段積みされた上記分包集合体の下段側分包集合体の下面に被せられる上記下面被覆板を省略してある請求項２又は請求項３に記載した段積み用梱包構造。
【請求項５】
上記梱包が上記パレット上で荷崩れすることを防ぐ包囲手段を備え、その包囲手段が、梱包を包囲するラップと、パレットと梱包とに巻き付けられた結束バンドとでなる請求項２ないし請求項４のいずれか１項に記載した段積み用梱包構造。
【発明の詳細な説明】
【技術分野】
【０００１】
本発明は、段積み用梱包構造、詳しくは、梱包を載置したパレットをコンテナなどに多段に段積みして収容することが予定されている段積み用梱包構造に関する。
【背景技術】
【０００２】
この種の従来の段積み用梱包構造を図７〜図９を参照して説明する。図７は従来の段積み用梱包構造の概略斜視図、図８は同梱包構造の概略断面図、図９は同梱包構造の概略分解斜視図である。
【０００３】
図例の梱包構造は、パレット１の上に、ラップ８１によって包み込まれた梱包２が載置されていると共に、その梱包２とパレット１とに結束バンド８２が巻き付けられている。この梱包構造では、上記のラップ８１と結束バンド８２とによって構成される包囲手段８を有することによってパレット１とそのパレット１に載置された梱包２とを一体物として取り扱うことができるようになっていて、それらのパレット１と梱包２とが１つの積荷として取り扱われる。
【０００４】
パレット１上の梱包２は、内部に製品を収容している箱形分包２１と、所要数の箱形分包２１…を横並びに寄せ集めた分包集合体２２と、分包集合体２２の下面に被せられたトップカートンとしての下面被覆板２３と、分包集合体２３の上面に被せられたトップカートンとしての上面被覆板２４と、分包集合体２２の周囲４隅のそれぞれに重ね合わされたサイドパッド２５…とを備えている。このうち、下面被覆板２３と上面被覆板２４とは同一の形状ないし構成を備えていて、それらは、図９によって類推できるように、四角形の板部３１の周囲４辺に縁片部３２…を折り曲げて立ち上げ、それらの縁片部３２…によって形成される突合せ状の出隅部を梱包テープ３３により結合することによって構成されている。また、サイドパッド２５は、細長い材料を折り曲げることにより形成されていて、その下端部が下面被覆板２３の縁片部３２の出隅部ａと分包集合体２２の下隅部ｂとの間に挟み込まれ、その上端部が上面被覆板２４の縁片部３２の出隅部ａ’と分包集合体２２の上隅部ｂ’との間に挟み込まれている。
【０００５】
上記梱包２において、箱形分包２１、下面被覆板２３、上面被覆板２４、サイドパッド２５はすべて段ボールや板紙を折り曲げたり梱包テープで貼り付けたりすることにより組み立てられている。そして、分包集合体２２の個々の箱形分包２１…が開いて荷崩れしたりすることが、その分包集合体２２の下部を収容状態で位置規制している下面被覆板２３やその分包集合体２３の上部を収容状態で位置規制している上面被覆板２４によって抑制されるようになっている。すなわち、図７又は図８で判るように、分包集合体２２の下部や上部が、下面被覆板２３や上面被覆板２４の周囲４箇所の縁片部３２…によって左右方向（横方向）及び前後方向で挟まれてそれらが位置規制されている。また、サイドパッド２５は、分包集合体２２のコーナ部が形崩れすることを防ぐ役割と、図７のように分包集合体２２を２段又はそれより多い段数に亘って段積みした場合に上下の分包集合体２２…が位置ずれすることを防ぐ役割などを果たしている。
【０００６】
一方、大型精密装置を梱包する場合に、パレットに載置した大型精密装置の下面と上面とに段ボールをそれぞれ被せた上で、その大型精密装置をパレットと共にベルトで固定することが従来より提案されている（たとえば特許文献１参照）。また、パレット上の荷物の上下にそれぞれキャップを被せてそれらを束縛ストランドによって締め付けるという荷物縛り手段も従来より知られている（たとえば特許文献２参照）。さらに、パレット状に載置した平版印刷板の積層束に、内装紙ローラから繰り出した内装紙を巻き付けるための積載物包装方法も従来より知られている（たとえば特許文献３参照）。
【特許文献１】特開２０００−２８１１１９号公報
【特許文献２】特表２００４−５０３４４２号公報
【特許文献３】特開２００４−２２４３８７号公報
【発明の開示】
【発明が解決しようとする課題】
【０００７】
ところで、バルク梱包などのように段積み状態でコンテナなどに収容される非常に多数の積荷の個々に対して図７〜図９を参照して説明した梱包構造を適用したような場合にあっては、梱包２に使用される箱形分包２１や上下の各被覆板２３，２４、サイドパッド２５などの数が一般的には莫大な数に昇るだけでなく、梱包テープの使用量も莫大な量に昇るため、それらの組み立てに用いられる段ボールや板紙の使用量を少しでも減らすことが大幅なコスト減につながることが判っている。また、図７〜図９を参照して説明したようにパレット１とそのパレット１上の梱包２とが１つの積荷として取り扱われる場合には、１つの積荷の高さを少しでも低く抑えておくと、１基のコンテナ内での段積み数を増加させ得る可能性が生まれてくるので、コンテナ１基での製品の輸送数量を増やして製品１台当りの輸送コストを低減することができるという可能性を生み出すことに役立つ。
【０００８】
しかしながら、上掲の特許文献１には、図７〜図９を参照した説明した梱包構造に用いられるトップカートンとしての下面被覆板２３や上面被覆板２４に相応する上下の段ボールが開示されているだけであるので、この特許文献１によっては、コスト低減のために段ボールや板紙、さらには梱包テープの使用量を少しでも減らしたり、積荷高さを少しでも低く抑えたりすることのできる対策が示唆されるものではない。この点については特許文献２に記載されているものについても同様のことが云える。また、特許文献２に記載されている内装紙はそれを用いる相手方が平版印刷板の積層束のような軽量なものに限定されるので、その内装紙を図７〜図９を参照した説明した梱包構造に用いられる箱形分包に置き換えて使用することは現実的に不可能である。
【０００９】
本発明は以上の状況の下でなされたものであり、図７〜図９を参照して説明した段積み用梱包構造の構成を基本とし、その梱包構造から下面被覆板を省略することによって段ボールや板紙や梱包テープの使用量を減らすことと併せて、積荷の高さをその下面被覆板の厚さに相応する寸法分だけ低くする一方で、下面被覆板を省略することによって生じる可能性のある不都合を、段ボールや板紙、さらには梱包テープの追加使用を伴わずに解消することのできる段積み用梱包構造を提供することを目的とする。
【課題を解決するための手段】
【００１０】
本発明に係る段積み用梱包構造は、四角形の板部の周囲４辺に縁片部が立ち上げられてそれらの縁片部によって形成される突合せ状の出隅部が梱包テープによって接合されてなる下面被覆板及び上面被覆板が、横並びに寄せ集められた複数の箱形分包でなる分包集合体の下面と上面とにそれぞれ被せられ、上記分包集合体の周囲４隅のそれぞれに重ね合わされたサイドパッドの下端部が上記下面被覆板の縁片部の出隅部と上記分包集合体の下隅部との間に挟み込まれ、そのサイドパッドの上端部が上記上面被覆板の縁片部の出隅部と上記分包集合体の上隅部との間に挟み込まれてなる梱包と、この梱包が載置されているパレットと、を備える段積み用梱包構造において、上記梱包の下面被覆板を省略することに代えて、上記サイドパッドの下端部と上記分包集合体とを梱包テープによって接合してある、というものである。
【００１１】
この構成を採用することにより、下面被覆板を省略することに伴ってその下面被覆板を組み立てるのに必要な段ボール又は板紙の使用量や梱包テープの使用量が削減されるので、それだけ材料コストが安くついてコスト減を図ることが可能になる。そして、下面被覆板を省略したことに伴って生じる不都合、具体的には、分包集合体の個々の箱形分包が開いて荷崩れするおそれがあるという不都合は、サイドパッドの下端部と分包集合体とを梱包テープによって接合してあるという構成を採用したとによって解消され、しかも、サイドパッドの下端部と分包集合体とを接合することに用いる梱包テープは、省略した下面被覆板の縁片部によって形成される突合せ状の出隅部を接合するために消費される梱包テープによって賄うことができるので、そうすることによって梱包テープを追加使用する必要もない。さらに、下面被覆板を省略すると、梱包２が直接にパレット上に載置されることになるので、１つの積荷についてはその下面被覆板の厚さに相応する寸法分だけ高さが低くなるので、数段に亘って当該積荷を段積みした場合には、その段数に応じて積荷の全体高さが低くなり、１基のコンテナ内での段積み数を増加させ得る可能性が生まれ、コンテナ１基での製品の輸送数量を増やして製品１台当りの輸送コストを低減することができるという可能性が生み出される。
【００１２】
本発明では、上記サイドパッドの下端部と上記分包集合体とを接合している上記梱包テープがサイドパッドを横切ってその両側に張り出す長さを有し、かつ、その梱包テープの両端部が上記サイドパッドの両側で上記分包集合体の外面に貼り付けられている、という構成を採用すると、サイドパッドの下端部が分包集合体に容易に剥がれないように固定されるために、分包集合体の個々の箱形分包が荷崩れするというおそれを確実に解消することが可能になる。
【００１３】
本発明では、上記下面被覆板及び上記上面被覆板を介在させずに複数段に亘って直接に段積みされた上記分包集合体の下段側分包集合体の下面に被せられる上記下面被覆板を省略してある、という構成を採用することも可能であり、これによれば、１つの積荷に１つだけの上面被覆板を用いるだけで済むので、分包集合体を段積みした積荷の高さが、上面被覆板が余分に使用されて高くなることを回避することが可能である。
【００１４】
本発明では、上記梱包が上記パレット上で荷崩れすることを防ぐ包囲手段を備え、その包囲手段が、梱包を包囲するラップと、パレットと梱包とに巻き付けられた結束バンドとでなる、という構成を採用することが可能であり、これによれば、図７に示した包囲手段をそのまま用いることができるという利便がある。
【００１５】
本発明に係る段積み用梱包構造は、四角形の板部の周囲４辺に縁片部が立ち上げられてそれらの縁片部によって形成される突合せ状の出隅部が梱包テープによって接合されてなる下面被覆板及び上面被覆板が、横並びに寄せ集められた複数の箱形分包でなる分包集合体の下面と上面とにそれぞれ被せられ、上記分包集合体の周囲４隅のそれぞれに重ね合わされたサイドパッドの下端部が上記下面被覆板の縁片部の出隅部と上記分包集合体の下隅部との間に挟み込まれ、そのサイドパッドの上端部が上記上面被覆板の縁片部の出隅部と上記分包集合体の上隅部との間に挟み込まれてなる梱包と、この梱包が載置されているパレットと、を備える段積み用梱包構造において、単一の上記箱形分包に、用紙に印字を行うための複数台のインクジエットプリンタが収容されていて、上記下面被覆板及び上記上面被覆板を介在させずに複数段に亘って直接に段積みされた上記分包集合体の下段側分包集合体の下面に被せられる上記下面被覆板を省略することに代えて、上記サイドパッドの下端部と上記分包集合体とを梱包テープによって接合してあると共に、この梱包テープがサイドパッドを横切ってその両側に張り出す長さを有し、かつ、その梱包テープの両端部が上記サイドパッドの両側で上記分包集合体の外面に貼り付けられ、梱包を包囲するラップと、パレットと梱包とに巻き付けられた結束バンドとでなる包囲手段によって上記パレット上での上記梱包の荷崩れを防いでいる、という構成を採用することによっていっそう具体化される。
【００１６】
この発明によれば、単一の箱形分包に複数台のインクジエットプリンタが収容されていて、そのような箱形分包の複数個を含む分包集合体が段積みされていることにより、１つの積荷に含まれるインクジエットプリンタの数を多く確保することが可能になる。その他の作用は後述する実施形態を参照して詳細に説明する。
【発明の効果】
【００１７】
以上のように、本発明によれば、図７〜図９を参照して説明した段積み用梱包構造の構成を基本としてその梱包構造から下面被覆板を省略したので、それだけ段ボールや板紙や梱包テープの使用量が削減されて材料コストが安くなるという効果が奏される。加えて、積荷の高さがその下面被覆板の厚さに相応する寸法分だけ低くなるので、１基のコンテナでの積荷の段積み数を増加させ得る可能性が生じ、その可能性を実現することのできる収容室高さを有するコンテナが用いられる場合には、１基のコンテナに収容する積荷数が増大して積荷１個当りの輸送コストを低減することが可能になるという効果が奏される。
【００１８】
そして、下面被覆板を省略したにもかかわらず、下面被覆板を省略したことによって生じる可能性のなる不都合、たとえば荷崩れが、サイドパッドと分包集合体とを接合している梱包テープによって解消され、しかも、その梱包テープには、省略した下面被覆板の組立に用いられていた梱包テープを流用することが可能であるので、梱包テープを追加使用する必要もないという利点がある。
【発明を実施するための最良の形態】
【００１９】
図１は本発明に係る段積み用梱包構造の概略斜視図、図２は同梱包構造の概略断面図、図３は同梱包構造の概略分解斜視図である。また、図４は要部の概略斜視図、図５は要部の正面図、図６（Ａ）は箱形分包２１とその箱形分包２１に収容される製品Ｍとを示した分解斜視図、同（Ｂ）は裏返し状態の箱形分包２１を示した概略斜視図である。
【００２０】
この実施形態に係る段積み用梱包構造において、パレット１、箱形分包２１、分包集合体２２、上面被覆板２４、サイドパッド２５などの構成は、図７〜図９を参照して説明した従来例の場合と同様である。
【００２１】
図６のように、箱形分包２１は、その内部の収容室が段ボール又は板紙でなる仕切り２６によって縦方向に複数区画されていて、それぞれの区画に製品Ｍが個別に収容されている。製品Ｍには、たとえば用紙に印字を行うためのインクジエットプリンタ専用機やスキャナなどを併有するインクジエットプリンタ複合機などの電気製品やその他の製品が選択される。この、箱形分包２１は、段ボールや板紙などを折り曲げてその突合せ端などを梱包テープＴで接合することによって縦長の有底箱形に形作られていて、その上面を閉じるための両開き式の開閉片２７は、当該箱形分包２１の上面の左右両側だけを閉じ得る幅寸法を有していて、その開閉片２７を閉じたまま内容物である製品Ｍの存否を目で見て確認することができるようになっている。
【００２２】
図例の梱包構造では、図１のように、４つの箱形分包２１を横並びに寄せ集めることにより構成された分包集合体２２が、相互間に段ボールや板紙などを挟むことなく、２段に亘って直接に段積みされていて、そのような２段積みの分包集合体２２が四角形のパレット１の上に載置されている。そして、上面被覆板２４が上段の分包集合体２２の上面に被せられていると共に、分包集合体２２の周囲４つのコーナ部に重ね合わされたそれぞれのサイドパッド２５の上端部が、上面被覆板２４の縁片部３２の出隅部ａ’と上段側の分包集合体２２の上隅部ｂ’との間に挟み込まれている（図２又は図３参照）。これに対し、それぞれのサイドパッド２５の下端部は、図４又は図５に拡大して示したように、下段側の分包集合体２２に梱包テープ５を用いて接合されている。サイドパッド２５の下端部を分包集合体２２に接合することに用いる梱包テープ５には、図３に示した上面被覆板２４の組立てに用いられている梱包テープ３３と同じものが用いられており、その長さも同梱包テープ３３と同程度である。具体的には、梱包テープ５がサイドパッド２５を横切ってその両側に張り出す長さを有していて、その梱包テープ５の両端部がサイドパッド２５の両側で分包集合体２２の外側端部に位置している箱形分包２１の外面に貼り付けられていると共に、その中間部がサイドパッド２５に貼り付けられている。
【００２３】
この実施形態では、パレット１の上に直接に載置された２段積みの分包集合体２２と、、その上段側の分包集合体２２の上面に被せられた上面被覆板２４と、２段積みの分包集合体２２の４つのコーナ部に重ね合わされたサイドパッド２５とによって梱包２が形作られている。そして、箱形分包２１に必要なラベルＬを貼り付けた後、梱包２とパレット１とに結束バンド８２が巻き付けられ、併せて２段積みの分包集合体２２がラップ８１で包み込まれる。これらのラップ８１と結束バンド８２とは、梱包２の荷崩れを防ぐことに役立つ包囲手段８を形成している。そして、この包囲手段８を有するパレット１とそのパレット１に載置された梱包２とが１つの積荷として取り扱われる。
【００２４】
以上の構成を備える段積み用梱包構造では、図７〜図９を参照して説明した従来の梱包構造に用いられていた下面被覆板２３を省略したことに代えて、サイドパッド２５の下端部と分包集合体２１とを梱包テープ５によって接合してあって、下段側の分包集合体２２を直接にパレット１に載置してある。この点が、従来の梱包構造と相違し、その余の点は従来の梱包構造と同様である。また、この梱包構造では、上段側の分包集合体２２に含まれる箱形分包２１の上面が上面被覆板２４によって塞がれ、下段側の分包集合体２２に含まれる箱形分包２１の上面が上段側の分包集合体２２によって塞がれるので、それぞれの分包集合体２２に塵芥が入ることなどが支障のない程度に防止される。
【００２５】
この実施形態では、下面被覆板２３が省略されていることに伴って、その下面被覆板２３によって発揮される作用、すなわち、下段側の分包集合体２２の個々の箱形分包２１が開いて荷崩れしやすくなるという懸念が生じるけれども、この点は、サイドパッド２５の下端部と分包集合体２１とを梱包テープ５によって接合してあることによって改善される。すなわち、サイドパッド２５は、その上端部が上面被覆板２４の縁片部３２の出隅部ａ’と上段側の分包集合体２２の上隅部ｂ’との間に挟み込まれているのに対し、その下端部が下段側の分包集合体２２の箱形分包２１に梱包テープ５で接合されているため、そのサイドパッド２５は上下各段の分包集合体２２，２２が相互に位置ずれすることを防ぐことに役立つ。そして、このようなサイドパッド２５による位置ずれ防止作用と、上段側の分包集合体２２が上面被覆板２４によって荷崩れしないように保持されていることなどとが相まち、下面被覆板２３による荷崩れ防止作用が補われて上記懸念がなくなる。
【００２６】
また、下面被覆板２３を省略したことにより梱包２が直接にパレット上に載置されている。そのため、１つの積荷についてはその下面被覆板２３の厚さに相応する寸法分だけ高さが低くなり、数段に亘って当該積荷を段積みした場合には、その段数に応じて積荷の全体高さが低くなり、１基のコンテナ内での段積み数を増加させ得る可能性が生まれ、コンテナ１基での製品の輸送数量を増やして製品１台当りの輸送コストを低減することができるという可能性が生み出される。
【００２７】
この点を図１０に示した説明図を参照して具体的に説明する。同図のように、符号Ｈでコンテナの収容室高さを示し、従来の梱包構造を持つ積荷Ａ’の段積み状態を左側に示し、それと対比して上記実施形態の積荷Ａの段積み状態を右側に示すと、下面被覆板２３を用いている従来の積荷Ａ’を段積みした場合には、その最上端の上方に余分に積荷を積み上げるスペースが形成されない場合でもあっても、下面被覆板２３を省略した実施形態の荷Ａを同一段数だけ段積みした場合には、その段数に応じて下面被覆板２３の厚さに見合う寸法分のスペースＳが生じる。したがって、このスペースＳを利用して積荷Ａ’の段数を増やすことが可能になる。そして、積荷Ａの段数を増やすと、コンテナ１基での製品の輸送数量が増えて製品１台当りの輸送コストが低減される。
【００２８】
さらに、下面被覆板２３を省略すると、その下面被覆板２３を組み立てるのに必要な段ボール又は板紙の使用量や梱包テープの使用量が削減されるので、それだけ材料コストが安くついてコスト減が図られる。しかも、サイドパッド２５の下端部と分包集合体２２とを接合することに用いる梱包テープ５は、省略した下面被覆板２３を組み立てるときに消費される梱包テープ３３（図９参照）によって賄われるので、梱包テープ５を従来の場合よりも多く使用する必要もない。
【００２９】
この実施形態では、分包集合体２２を２段積みしたものを説明したてれども、分包集合体２２を段積みしないもの、及び、分包集合体２２を３段以上の多段に亘って段積みしたものも本発明の範囲に含まれることは勿論である。
【図面の簡単な説明】
【００３０】
【図１】本発明に係る段積み用梱包構造の概略斜視図である。
【図２】同梱包構造の概略断面図である。
【図３】同梱包構造の概略分解斜視図である。
【図４】要部の概略斜視図である。
【図５】要部の正面図である。
【図６】（Ａ）は箱形分包と製品とを示した分解斜視図、（Ｂ）は裏返し状態の箱形分包を示した概略斜視図である。
【図７】従来の段積み用梱包構造の概略斜視図である。
【図８】図７の梱包構造の概略断面図である。
【図９】図７の梱包構造の概略分解斜視図である。
【図１０】本発明の作用を従来例と比較して示した説明図である。
【符号の説明】
【００３１】
１  パレット
２  梱包
５  梱包テープ
８  包囲手段
２１  箱形分包
２２  分包集合体
２３  下面被覆板
２４  上面被覆板
２５  サイドパッド
３１  板部
３２  縁片部
３３  梱包テープ
８１  ラップ
８２  結束バンド
ａ，ａ’  縁片部の出隅部
ｂ  分包集合体の下隅部
ｂ’  分包集合体の上隅部
Ｍ  製品（インクジエットプリンタ）
【図１】
2006213343.tif 000003
【図２】
2006213343.tif 000004
【図３】
2006213343.tif 000005
【図４】
2006213343.tif 000006
【図５】
2006213343.tif 000007
【図６】
2006213343.tif 000008
【図７】
2006213343.tif 000009
【図８】
2006213343.tif 000010
【図９】
2006213343.tif 000011
【図１０】
2006213343.tif 000012